(57)【要約】【課題】  容易に開封でき改ざん防止も可能な、食品等の包装方法を提供する。【解決手段】  十分な粘着力を有する樹脂製の粘着テープの長手方向に、比較的長いスリットからなる強い脆弱線と、比較的短いスリットからなる弱い脆弱線を設ける。容器の一部に指を差し込めるような大きさの凹部を設けておき、容器本体と蓋を組み合わせた後、前期粘着テープを容器上の凹部と開口部とにまたがって貼付けることにより、全体を一体に結束する。【選択図】  図１
2009126576.tif 000002
【特許請求の範囲】
【請求項１】
表面に凹凸のある容器に食品等を充填し、粘着テープを用いて開口部を結束する食品等の包装方法において、前記粘着テープの長手方向に脆弱線が設けられており、該粘着テープを前記容器の凹部と開口部にまたがって掛け渡すようにして貼付け結束することを特徴とする食品等の包装方法。
【請求項２】
前記粘着テープに２条の脆弱線が設けられ、うち一方の脆弱線が他方よりも破断しやすく構成されていることを特徴とする請求項１記載の食品等の包装方法。
【請求項３】
表面に凹凸のある容器に食品等を充填し、粘着テープを用いて開口部を結束する食品等の包装方法において、前記粘着テープの長手方向に脆弱線が設けられており、該粘着テープを前記容器の凹部と開口部にまたがって掛け渡すようにして結束されてなる食品等の包装体。
【請求項４】
粘着テープ繰り出し手段と、繰り出された粘着テープを互いに接近方向に付勢されたカッターローラとカッター受けローラとの間に挟持通過させてスリットを形成するスリット形成手段と、粘着テープ切断手段とを備え、前記カッターローラは、外周部に所定間隔で切り込みが設けられた円形刃を複数枚搭載していることを特徴とする食品等の包装用粘着テープの供給装置。
【発明の詳細な説明】
【技術分野】
【０００１】
本発明は、主としてお弁当、惣菜、麺類、デザートなど日配商品と呼ばれる商品の包装方法において、安全かつ開封容易なやり方で樹脂製容器等の蓋と本体とをテープ止めする方法、及びそのための粘着テープに関するものである。
【背景技術】
【０００２】
お弁当、惣菜、麺類、デザートなど日配食品と呼ばれる商品は、調理済みの食品を使い捨て型の容器に盛り付けて簡便な包装を施し、その日のうちに小売店に運ばれて陳列・販売される。これらの商品の包装には、包装の容易さ、開封の容易さ、輸送時の安全性、改ざん防止機能などが求められる。
【０００３】
本明細書で商品の「改ざん」と呼んでいるものは、陳列前又は陳列されている弁当などの包装済み商品の包装の一部を開封し、中の商品に手を加えた上で再び外見上分らないように封をして棚等に戻し、騒ぎを起こしたり顧客に購入させたりする迷惑行為である。こうした行為を防ぐため、商品の包装は、一度開封した後に再び封をしてもそれが一見して明らかとなるような改ざん防止機能を持つことが望ましい。
【０００４】
日配食品の一般的な包装方法は、まず本体容器に食品等を充填し、これを蓋で覆った後、本体と蓋とが分離しないように何らかの方法で結束する。その結束手段としては、容器全体のシュリンク包装、帯状のシュリンク包装、マジックテープ、セロファンテープ等が用いられている。このうちシュリンク包装は、安全性が高いものの多くの包装材料を要し、また包装の中身が見えにくいとう欠点がある。
【発明の開示】
【発明が解決しようとする課題】
【０００５】
樹脂製容器を粘着テープで結束する包装方法は簡便であり包装の中身も見えやすい長所を有するが、安全性については配慮が必要である。あまり引張り強度や粘着力の大きい粘着テープを用いると、開封が難しくなり購入者にとって不便となる。一方、引張り強度が小さいと仕分け時や輸送中に粘着テープが切れる恐れがある。他方、粘着テープと容器との粘着強度が弱いと仕分け時、輸送中、陳列時等にテープが剥がれて容器が開いたり他の商品にテープがついてしまう恐れがあり、また商品が改ざんされやすくなるという問題もある。
【０００６】
そこで本発明は、十分な引っ張り強度と粘着力を備えた粘着テープでありながら、購入者が容器を容易に開封でき、しかも一度開封された後には粘着テープが切れて再び元に戻すことができず改ざんがしにくいという性質を備えた、食品等の商品の包装方法及び包装体、及びそのための粘着テープの供給装置を提供することを目的とする。
【課題を解決するための手段】
【０００７】
本出願の請求項１記載の発明は、表面に凹凸のある容器に食品等を充填し、粘着テープを用いて開口部を結束する食品等の包装方法において、前記粘着テープの長手方向に脆弱線が設けられており、該粘着テープを前記容器の凹部と開口部にまたがるように掛け渡して貼付け結束することを特徴とする包装方法により、上記の課題を解決する。脆弱線は、粘着テープの長手方向に沿って多数の凹部、孔部、スリット等を短い間隔で破線状や点線状に並べて周囲より切れやすい構造としたものであり、例えばミシン目状の構造とすることができる。
【０００８】
発明者による実験の結果、粘着テープが蓋及び本体容器と張り付いている部分では、テープの縦方向に脆弱線を設けてもテープの強度に影響はなく、十分な機能を有することが判明した。そこで容器凹部（テープが浮いている部分）に着目し、この部分で縦方向の脆弱線を断裂させられるようにして、テープの強度を保ったまま開封性を向上させたものである。
【０００９】
購入者が容器を開封する時は、容器の凹部を利用して粘着テープに指をかけて横に力を加えると、脆弱線が断裂し、テープは脆弱線で区切られた細長い部分に分かれるので、これらの細長い部分を順に断ち切ってゆくことで容易に容器を開口させることができる。開封時に粘着部をはがす必要はないので粘着強度の強いテープを用いることができるし、仕分け中や運搬中に開封時のような力が加わることは少ないので安全性も高い。仮にいたずら目的で慎重にテープをはがして開封しようとしても、脆弱線がたやすく切れてしまうので操作された証拠が残り、外観上容易に判別することができる。
【００１０】
本出願の請求項２記載の発明は、請求項１記載の発明において、前記粘着テープに２条以上の脆弱線を設け、うち一つの脆弱線を他よりも断裂しやすく構成したことにより、テープ全体の引張り強度や開封の容易さを保ちつつ、改ざん防止効果をいっそう高めたものである。改ざん防止のためには一つの脆弱線が切れれば開封の証拠が残るので、複数の脆弱線のうち一つのみを特に断裂しやすい構成として、改ざん防止効果を高めたものである
【００１１】
好ましくは、粘着テープは２条の脆弱線を有しており、一方の脆弱線には長さ３ｍｍのスリットを１ｍｍ間隔で設け、他方の脆弱線には長さ１０〜４０ｍｍのスリットを１〜２ｍｍ間隔で設ける。３ｍｍのスリットを１ｍｍ間隔で設けたものは、開封の際に適度な指の力で断裂させることができる程度の強さである。１０〜４０ｍｍのスリットを１〜２ｍｍ間隔で設けたものはそれと比べて弱くなっており、いたずら目的で慎重にテープを剥がしたとしても容易に断裂し、元の状態に戻ることはない。
【００１２】
本出願の請求項３記載の発明は、表面に凹凸のある容器に食品等を充填し、粘着テープを用いて開口部を結束する食品等の包装方法において、前記粘着テープの長手方向に脆弱線が設けられており、該粘着テープを前記容器の凹部と開口部にまたがるように掛け渡して結束してなる包装体である。
【００１３】
本出願の請求項４記載の発明は、粘着テープ繰り出し手段と、繰り出された粘着テープを互いに接近方向に付勢されたカッターローラとカッター受けローラとの間に挟持通過させてスリットを形成するスリット形成手段と、粘着テープ切断手段とを備え、前記カッターローラは、外周部に所定間隔で切り込みが設けられた円形刃を複数枚搭載していることを特徴とする食品等の包装用粘着テープの供給装置である。
【００１４】
好ましくは、前記カッターローラーは２枚の回転刃を搭載しており、各回転刃は切り込みにより分割された複数の単位刃から構成されており、うち一方の回転刃は他方よりも単位刃１個当たりの長さが短くなっている。好ましくは、第一の回転刃には外周に切断長さ約３ｍｍの単位刃を約１ｍｍ間隔で２４個設けた回転刃を使用し、第二の回転刃には外周に１０〜４０ｍｍずつ間隔を空けて幅１〜２ｍｍの切込みを設けることにより切断長さ約１０〜４０ｍｍの単位刃を２〜８枚形成した専用の回転刃を使用する。そして前記カッターローラーとカッター受けローラーの間に粘着テープを通過させることにより、カッターローラーが粘着テープ上で回転しながら所定寸法のスリットを生成する。カッターローラーに搭載された回転刃を取り替えることにより、任意の寸法・強度の脆弱線を持つ粘着テープを供給することが可能である。
【発明を実施するための最良の形態】
【００１５】
以下、図面を参照しながら、本発明の具体的な実施形態について説明する。図１は本実施例に係る粘着テープの一部を示す図であり、１は透明な１８ｍｍ幅の市販の包装用粘着テープであり、適当な手切れ性を有する合成樹脂材料からなっている。１ａ及び１ｂは包装作業の際にテープ供給装置により形成される脆弱線であり、粘着テープ１を幅方向にほぼ１：２：１に区分する位置に設けられている。脆弱線１ａは、約１ｍｍ間隔で設けられた長さ約３ｍｍのスリットで構成され、脆弱線１ｂは約２ｍｍ間隔で設けられた長さ約１０ｍｍのスリットで構成されているため、脆弱線１ｂが１ａに比べて切れやすくなっている。
【００１６】
図２は包装用粘着テープ１を供給するための供給装置の一実施例を示す全体側面図である。各要素は特記しない限り不図示のベースプレート上に支持されている。供給装置は、粘着テープ繰り出し手段２、スリット形成手段３及び粘着テープ切断手段８を備えている。粘着テープ繰り出し手段２は回動自在な支持ローラー２ａ、２ｂと、支点Ｏ１上に揺動可能に軸支されたアーム２ｃとからなる。アーム２ｃは、ばねＳ１により図２上で反時計回りに付勢されており、アーム２ｃの表面は適度の摩擦係数を有しているので、粘着テープのロールＴを支持ローラー２ａ、２ｂ上に載せると、アーム２ｃの先端がロールＴを支持ローラー２ａ、２ｂに押し付けて安定させる。使用者は粘着テープ１を支持ローラー２ａの下側から粘着面を下向きにして引き出すことができる。
【００１７】
スリット形成手段３は、支点Ｏ２を中心として揺動可能に設けられ、バネＳ１により図中左方向に付勢されているローラー支持アーム４と、該ローラー支持アーム４の先端付近に遊嵌されたカッターローラー５と、装置本体に遊嵌されたカッター受けローラー６とからなっている。カッターローラー５はバネＳ１の作用によりカッター受けローラー６に押し付けられている。図３により詳細に示されるように、カッターローラー５には２枚の円形の回転刃５ａ、５ｂが着脱可能に搭載され、カッター受けローラー６にはカッターローラー５上の回転刃に対応する位置に溝６ａ、６ａが設けられている。
【００１８】
本実施例では回転刃５ａは直径約２８ｍｍ、外周が約９６ｍｍの回転刃が２枚使用されている。図４はカッターローラー５に搭載可能な回転刃の例を示す。第一の回転刃には外周に切断長さ約３ｍｍの単位刃を約１ｍｍ間隔で２４個連ねた市販の回転刃５ａが使用されている。また第二の回転刃には外周に約１０ｍｍずつ間隔を空けて幅約２ｍｍの切込みを設けることによって切断長さ約１０ｍｍの単位刃を８枚形成した専用の回転刃５ｂが使用されている。第二の回転刃としては、テープの材質や商品の性質等に応じて、切断長さ約２０ｍｍの単位刃を４枚形成した回転刃５ｃや、切断長さ約４０ｍｍの単位刃を２枚形成した回転刃５ｄを使用することもできる。
【００１９】
粘着テープ繰り出し手段２から繰り出した粘着テープ１を、カッターローラー５、カッター受けローラ６の間に挟持通過させて必要な長さ分だけ引き出すと、第一の回転刃に対応する比較的強い第一の脆弱線と、第二の回転刃に対応する比較的弱い第二の脆弱線とが粘着テープ１上に形成される。そして所望の長さを引き出して粘着テープ切断手段７で切断することにより、包装用の粘着テープ片が得られる。
【００２０】
図５及び６は、本発明の食品等が容器に充填され、粘着テープで結束された状態の全体斜視図及び要部断面図である。容器は合成樹脂製の本体８及び蓋９からなり、本体８の縁に蓋９を重ねられるようになっている。蓋９の縁のやや内側を一周するような形で、指を差し込める程度の大きさの溝部９ａが設けられている。本体８上に調製済の食品を配置し、蓋９を載せて縁部を重ねた状態で、粘着テープ供給装置から供給された複数の粘着テープ片を本体８の底部から蓋９の最上部にかけて貼り渡すことにより、本体８と蓋９とを結束し、包装体を完成する。本実施例では１８０°離れた２ヶ所を粘着テープで結束しているが、容器の形状や商品の性質等に応じて１ヶ所又は３ヶ所以上を結束しても良い。
【００２１】
本実施例の包装方法により包装された包装体を開封するには、蓋９の溝部９ａに指を差し込んで粘着テープ１に横向きの力を加えることにより、容易に脆弱線１ａ、１ｂを切り細長い３本のテープに分割することができる。その後この細長い部分を順に断ち切って下側の粘着テープを開口部（縁）まで引き起こし、容器を開封することができる。仮に何者かがいたずら目的で粘着テープを上端又は下端より引き起こして容器を開封し商品に手を加えようとしても、第二の脆弱線１ｂが容易に切れてしまうので元通りに張り直すことはできず、改ざんの跡を容易に発見できる。
【産業上の利用可能性】
【００２２】
本発明の粘着スリットテープを用いることで、これまでの結束方法に比べて簡易でありながら、改ざんに対する安全性、開封の容易さ、テープ強度の確保が図られる。従ってお弁当、惣菜等の日配食品を安全性に供給でき、包装材料の少量化、軽量化も可能となる。
【図面の簡単な説明】
【００２３】
【図１】本実施例に係る粘着テープの一部を示す図である。
【図２】粘着テープ供給装置の全体側面図である。
【図３】同じ装置のカッターローラー５及びカッター受けローラ６の拡大斜視図である。
【図４】本発明に使用可能な回転刃の例を示す図である。
【図５】本発明に係る包装体の全体斜視図である。
【図６】同じ包装体の要部断面図である。
【符号の説明】
【００２４】
１  粘着テープ
２  粘着テープ繰り出し手段
２ａ、２ｂ  ローラー
３  スリット形成手段
４  ローラー支持アーム
５  カッターローラー
５ａ、５ｂ、５ｃ、５ｄ  回転刃
６  カッター受けローラー
６ａ、６ａ  溝部
７  粘着テープ切断手段
８  本体
９  蓋
９ａ  溝部
【図１】
2009126576.tif 000003
【図２】
2009126576.tif 000004
【図３】
2009126576.tif 000005
【図４】
2009126576.tif 000006
【図５】
2009126576.tif 000007
【図６】
2009126576.tif 000008